(57)【要約】    【課題】  階上側の建物ユニットの床構造と階下側の建物ユニットの天井構造とが兼用された構造における遮音性を向上させる。    【解決手段】  建物ユニット３２の天井構造３２ｂが、その階上側に連結される屋根ユニット５０のロフト６１の床構造を兼ねるものであり、ロフト６１の床下地板３２ｆと、床下地板３２ｆの下方に設けられた、建物ユニット３２の天井面を形成する天井下地板３２ｋと、床下地板３２ｆを支持する床根太３２ｊと、天井下地板３２ｋを支持する天井根太３２ｄとを備え、床根太３２ｊは天井下地板３２ｋに非接触に配置され、天井根太３２ｄは床下地板３２ｆに非接触に配置されて、遮音性を向上させる。【選択図】            図２
2007002544.tif 000002
【特許請求の範囲】
【請求項１】
階上側の建物ユニットと、該階上側の建物ユニットの直下に配置される階下側の建物ユニットとが上下に連結され、前記階下側の建物ユニットの天井構造が、前記階上側の建物ユニットの床構造を兼ねているユニット建物において、
前記床構造および前記天井構造は、前記階上側の建物ユニットの床面を形成する床下地板と、該床下地板と空隙を介して該床下地板の下方に設けられた、前記階下側の建物ユニットの天井面を形成する天井下地板と、前記床下地板を支持する床根太と、前記天井下地板を支持する天井根太とを備え、前記床根太は前記天井下地板に非接触に配置され、前記天井根太は前記床下地板に非接触に配置されたことを特徴とするユニット建物。
【請求項２】
階上側の建物ユニットと、該階上側の建物ユニットの直下に配置される階下側の建物ユニットとが上下に連結され、前記階下側の建物ユニットの天井構造が、前記階上側の建物ユニットの床構造を兼ねているユニット建物において、
前記床構造および前記天井構造は、前記階下側の建物ユニットの床面を形成する床下地板と、該床下地板と空隙を介して該床下地板の下方に設けられた、前記階下側の建物ユニットの天井面を形成する天井下地板と、前記床下地板を支持する床根太と、前記天井下地板を支持する天井根太とを備え、前記床根太は前記天井下地板に非接触に配置され、前記天井根太は前記床下地板に非接触に配置されたことを特徴とするユニット建物。
【請求項３】
前記床根太および前記天井根太は前記空隙内に配置され、前記床根太の高さおよび前記天井根太の高さはいずれも、前記空隙の高さよりも小さく、かつ、前記床根太の上面は前記床下地板の下面に接合されて該床下地板を支持し、前記天井根太の下面は前記天井下地板の上面に接合されて該天井下地板を支持していることを特徴とする請求項１または２に記載のユニット建物。
【請求項４】
前記天井根太と前記床根太とは、それぞれの長手方向に直交する方向に沿う少なくとも一部において、交互に配列されていることを特徴とする請求項１から３のうちいずれか1項に記載のユニット建物。
【請求項５】
連結されてユニット建物を形成する複数の建物ユニットのうち、階上側の建物ユニットの床構造も兼ねた天井構造を備えた階下側の建物ユニット、または階下側の建物ユニットの天井構造も兼ねた床構造を備えた階上側の建物ユニットにおいて、
前記床構造および前記天井構造は、前記階上側の建物ユニットの床面を形成する床下地板と、該床下地板と空隙を介して該床下地板の下方に設けられた、前記階下側の建物ユニットの天井面を形成する天井下地板と、前記空隙内に配置され、その上面が前記床下地板の下面に接合されて該床下地板を支持するとともに前記天井下地板とは非接触の床根太と、前記空隙内に配置され、その下面が前記天井下地板の上面に接合されて該天井下地板を支持するとともに前記床下地板とは非接触の天井根太とを備えたことを特徴とする建物ユニット。
【発明の詳細な説明】
【技術分野】
【０００１】
本発明は、ユニット建物およびこのユニット建物に用いられる建物ユニットに関し、詳細には、上下に連なる建物ユニット間での遮音性の改良に関する。
【背景技術】
【０００２】
従来より、戸建て住宅等の建物を建築施工する施工方法の一つとして、所定寸法で規格化された建物ユニットを予め工場で製造し、製造された複数の建物ユニットを建築施工現場に搬入して、これらを互いに連結することによって一つの建物に組み上げる施工方法が知られている。そして、このような施工方法によって施工された建物は、ユニット建物と称されている。
【０００３】
近年、このようなユニット建物においても、ロフト（小屋裏室）を形成することが行われているが、ユニット建物においては、建築施工現場におけるロフト施工の工数を低減するために、ロフトを形成する側壁や天井材等を、建物ユニットの一つである屋根ユニットの内部に、予め工場で組み込むことが提案されている（特許文献１、特許文献２）。
【０００４】
ここで、屋根ユニットには床構造が備えられないのが一般的であるから、ロフトのために、屋根ユニットに床構造を形成するのは、大幅なコストアップを招くとともに、新たに設けられる床構造の厚さによって、ロフトの空間高さ等を減少させる事態も生じる。
【０００５】
そこで、本願発明者らは、ロフトの床構造を、このロフトの直下に連結される建物ユニットの天井構造が兼ねるように形成する技術を提案している（特許文献３）。
【０００６】
このような構造を採用したユニット建物によれば、ロフトの床構造が、このロフトの直下に連結された建物ユニットの天井構造の一部として形成されているためロフト側（直下の建物ユニットの天井構造よりも上方空間）に、ロフトの床構造を別途形成する必要がなく、したがって、階下の建物ユニットの天井構造とは別に、ロフトの床構造を新たに設けたものよりも、ロフトの空間高さを高く確保することができるとともに、ロフトの床構造を新たに設けるものよりも製造コストを抑えることもできる。
【特許文献１】特開平４−２５４６３６号公報
【特許文献２】特開平６−３０７１０２号公報
【特許文献３】特開２００５−１２７０６０号公報
【発明の開示】
【発明が解決しようとする課題】
【０００７】
ところで、ロフトの直下に組み立てられる建物ユニット自体の天井構造をロフトの床構造としても兼ねた構造は、ロフトの床面と階下の建物ユニットの天井面との間の距離が短くなるため、両室間での遮音性が、通常の上下に連結された建物ユニット間での遮音性よりも劣ることが考えられる。
【０００８】
そして、階上側の建物ユニットの床構造を階下側の建物ユニットの天井構造が兼ねた構成のユニット建物であれば、上述した遮音性の問題は、屋根ユニットに形成されたロフトと、その直下の建物ユニットとの関係のみにおけるものではなく、上下に連結される階上側の建物ユニットと階下側の建物ユニットとの関係においても、また、階上側の建物ユニットとしてバルコニーユニットなどの、外界に開放された部位に配設されるユニットを適用した場合にも、同様に生じうる。
【０００９】
本発明は上記事情に鑑みなされたものであり、上下に連結される２つの建物ユニットのうち階下側の建物ユニットの天井構造が階上側の建物ユニットの床構造を兼ねた構造、または階上側の建物ユニットの床構造が階下側の建物ユニットの天井構造を兼ねた構造、における遮音性を向上させることができるユニット建物および建物ユニットを提供することを目的とするものである。
【課題を解決するための手段】
【００１０】
本発明の請求項１に係るユニット建物は、階上側の建物ユニットと、該階上側の建物ユニットの直下に配置される階下側の建物ユニットとが上下に連結され、前記階下側の建物ユニットの天井構造が、前記階上側の建物ユニットの床構造を兼ねているユニット建物において、前記床構造および前記天井構造は、前記階上側の建物ユニットの床面を形成する床下地板と、該床下地板と空隙を介して該床下地板の下方に設けられた、前記階下側の建物ユニットの天井面を形成する天井下地板と、前記床下地板を支持する床根太と、前記天井下地板を支持する天井根太とを備え、前記床根太は前記天井下地板に非接触に配置され、前記天井根太は前記床下地板に非接触に配置されたことを特徴とする。
【００１１】
このように構成された本発明の請求項１に係るユニット建物によれば、床下地板に下方から接して支持する床根太は、その下方に形成された階下側の天井下地板に直接的に接していないため、床下地板に生じた階上側の音は、床根太までは伝達されるが、この床根太から階下側の天井下地板に直接伝わることがない。
【００１２】
また、天井下地板に上方から接して支持する天井根太は、その上方に形成された階上側の床下地板に直接的に接していないため、天井下地板に生じた階下側の音は、天井根太までは伝達されるが、この天井根太から階上側の床下地板に直接伝わることがない。
【００１３】
したがって、階上側と階下側との間の遮音性を、従来よりも向上させることができる。
【００１４】
本発明の請求項２に係るユニット建物は、階上側の建物ユニットと、該階上側の建物ユニットの直下に配置される階下側の建物ユニットとが上下に連結され、前記階下側の建物ユニットの天井構造が、前記階上側の建物ユニットの床構造を兼ねているユニット建物において、前記床構造および前記天井構造は、前記階下側の建物ユニットの床面を形成する床下地板と、該床下地板と空隙を介して該床下地板の下方に設けられた、前記階下側の建物ユニットの天井面を形成する天井下地板と、前記床下地板を支持する床根太と、前記天井下地板を支持する天井根太とを備え、前記床根太は前記天井下地板に非接触に配置され、前記天井根太は前記床下地板に非接触に配置されたことを特徴とする。
【００１５】
このように構成された本発明の請求項２に係るユニット建物によれば、床下地板に下方から接して支持する床根太は、その下方に形成された階下側の天井下地板に直接的に接していないため、床下地板に生じた階上側の音は、床根太までは伝達されるが、この床根太から階下側の天井下地板に直接伝わることがない。
【００１６】
また、天井下地板に上方から接して支持する天井根太は、その上方に形成された階上側の床下地板に直接的に接していないため、天井下地板に生じた階下側の音は、天井根太までは伝達されるが、この天井根太から階上側の床下地板に直接伝わることがない。
【００１７】
したがって、階上側と階下側との間の遮音性を、従来よりも向上させることができる。
【００１８】
本発明の請求項３に係るユニット建物は、請求項１または２に係るユニット建物において、前記床根太および前記天井根太は前記空隙内に配置され、前記床根太の高さおよび前記天井根太の高さはいずれも、前記空隙の高さよりも小さく、かつ、前記床根太の上面は前記床下地板の下面に接合されて該床下地板を支持し、前記天井根太の下面は前記天井下地板の上面に接合されて該天井下地板を支持していることを特徴とする。
【００１９】
このように構成された本発明の請求項３に係るユニット建物によれば、床根太の高さは空隙の高さよりも小さく、かつ床根太の上面は床下地板の下面に接合されているため、床根太の下面が階下側の天井下地板の上面に接触するのを確実に防止することができる。
【００２０】
同様に、天井根太の高さは空隙の高さよりも小さく、かつ天井根太の下面は天井下地板の上面に接合されているため、天井根太の上面が階上側の床下地板の下面に接触するのを確実に防止することができる。
【００２１】
本発明の請求項４に係るユニット建物は、請求項１から３のうちいずれか1項に係るユニット建物において、前記天井根太と前記床根太とは、それぞれの長手方向に直交する方向に沿う少なくとも一部において、交互に配列されていることを特徴とする。
【００２２】
本発明の請求項４に係るユニット建物によれば、天井根太と前記床根太とが交互に配列されていることにより、床下地板、天井下地板ともに、支持する根太の間隔が極端に不均一になるのを防止することができ、これにより、床下地板、天井下地板ともに、強度（耐荷重）の均一化を図ることができる。
【００２３】
本発明に係る建物ユニットは、連結されてユニット建物を形成する複数の建物ユニットのうち、階上側の建物ユニットの床構造も兼ねた天井構造を備えた階下側の建物ユニット、または階下側の建物ユニットの天井構造も兼ねた床構造を備えた階上側の建物ユニットにおいて、前記床構造および前記天井構造は、前記階上側の建物ユニットの床面を形成する床下地板と、該床下地板と空隙を介して該床下地板の下方に設けられた、前記階下側の建物ユニットの天井面を形成する天井下地板と、前記空隙内に配置され、その上面が前記床下地板の下面に接合されて該床下地板を支持するとともに前記天井下地板とは非接触の床根太と、前記空隙内に配置され、その下面が前記天井下地板の上面に接合されて該天井下地板を支持するとともに前記床下地板とは非接触の天井根太とを備えたことを特徴とする。
【００２４】
このように構成された本発明に係る建物ユニットによれば、床下地板に下方から接して支持する床根太は、その下方に形成された階下側の天井下地板に直接的に接していないため、床下地板に生じた階上側の音は、床根太までは伝達されるが、この床根太から階下側の天井地板に直接伝わることがない。
【００２５】
また、天井地板に上方から接して支持する天井根太は、その上方に形成された階上側の床下地板に直接的に接していないため、天井下地板に生じた階下側の音は、天井根太までは伝達されるが、この天井根太から階上側の床下地板に直接伝わることがない。
【００２６】
したがって、階上側と階下側との間の遮音性を、従来よりも向上させることができる。
【００２７】
なお、以上の各本発明において、床構造を備えない階上側の建物ユニットとしては、例えば、バルコニーユニットや、内部にロフト（床構造を有しない）を備えた屋根ユニットなどの他、通常の居室空間を形成するための建物ユニット（床構造を有しないもの）を適用することができる。
【００２８】
また、上述した建物ユニットおよびユニット建物においては、床下地板と天井下地板との間の空隙には、グラスウール等の吸音材を充填して、遮音性の一層の向上および防火性の向上を図るのが好ましい。
【発明の効果】
【００２９】
本発明に係るユニット建物、建物ユニットによれば、階上側の建物ユニットと階下側の建物ユニットとの間の遮音性を、従来よりも向上させることができる。
【発明を実施するための最良の形態】
【００３０】
以下、本発明のユニット建物および建物ユニットに係る最良の実施形態について、図面を参照して説明する。図１は本発明のユニット建物および建物ユニットに係る実施形態を示す要部透視斜視図、図２は図１に示したユニット建物１００を構成する一単位である建物ユニット３２を示す図（（ａ）ｘ方向に沿った縦断面図、（ｂ）ｙ方向に沿った横断面図）、図３は図１に示したユニット建物１００のうち屋根ユニット５０の下方に連結される建物ユニット３２の天井構造３２ｂを示す平面図、図４は図３に示した天井構造３２ｂのＡ−Ａ線、Ｂ−Ｂ線およびＣ−Ｃ線にそれぞれに沿った断面図、図５は図３に示した天井構造３２ｂのＤ−Ｄ線、Ｅ−Ｅ線にそれぞれに沿った断面図、図６は図３に示した天井構造３２ｂのＦ−Ｆ線、Ｇ−Ｇ線にそれぞれに沿った断面図である。
【００３１】
図示のユニット建物１００は、１階部分を構成する８つの建物ユニット１１，１２，…，１８（符号１６，１８は、配置の関係上、図１において視認不可能な位置にあるため、図示を略す。）が、図示しない基礎上に、予め設定された配置にしたがって設置され、これら１階部分の上方に、２階部分を構成する６つの建物ユニット３１，３２，…，３６が設置され、さらに２階部分の上方に、屋根部分を構成し、建物ユニットの一形態としての屋根ユニット５０が設置され、屋根ユニット５０を含む各建物ユニット１１〜１８，３１〜３６は、前後左右上下の各方向ｘｙｚについて互いに隣接し合う建物ユニット間で、所定のジョイントボルトおよびナット等の締結部材により互いに連結されて、単一の建物を形成している。
【００３２】
ここで、屋根ユニット５０の内部（図示下方側部分）には、それ自体は床構造を有しないロフト（小屋裏室）６０(第１のロフト６１、第２のロフト６２)が、この屋根ユニット５０を製造する工場において、予め屋根ユニット５０の内部に設置されている。
【００３３】
また、屋根ユニット５０は、実際には複数の部分に分割されており、ロフト６０もこれら分割された部分に対応して分割されている。一例として、屋根ユニット５０がｘ方向について２分割されたものであるときは、その分割されている各部分ごとに第１のロフト部６１あるいは第２のロフト部６２が形成されており、ユニット建物１００として連結される建築施工現場において、これら分割された部分同士を連結することにより、第１のロフト部６１と第２のロフト部６２とが連通した単一のロフト６０が形成される。
【００３４】
図１に示した実施形態のユニット建物１００においては、第２のロフト部６２と、この第２のロフト部６２の直下に配置された建物ユニット３５とを連通させる開口３５ｈが、建物ユニット３５の天井構造３５ｂ（第２のロフト部６２の床構造）に形成されており、この開口に通じる階段２０が建物ユニット３５内に設けられている。
【００３５】
各建物ユニット１１〜１８，３１〜３６は、外形床面が、長尺方向約４．７ｍ×短尺方向約２．５ｍ（内部有効床面：約４．５ｍ×約２．３ｍ）の標準サイズに規格化されており、建物ユニット１２，１３，１５，１６は、長尺方向は標準サイズよりも長いが、短尺方向は標準サイズと一致するように規格化されている。また、建物ユニット１７，１８は、長尺方向は建物ユニット１２，１３，１５，１６と同一サイズであり、短尺方向は標準サイズよりも短い長さに規格化されている。
【００３６】
そして、各建物ユニット１１〜１８，３１〜３６は、例えば図２に示す建物ユニット３２のように、下部に床構造３２ａ、上部に天井構造３２ｂを備えているが、その直上に、ロフト６０を有する屋根ユニット５０が連結される建物ユニット３２，３５については、すなわち、屋根ユニット５０の直下に配置される階下側の建物ユニット３２，３５については、その建物ユニット３２（建物ユニット３２による説明のみで足りるため、特に必要のある場合を除き、以下、建物ユニット３５への言及を省略する。）の天井構造３２ｂに、ロフト６０の床構造が一体的に、かつ、この建物ユニット３２側に設けられている。
【００３７】
また、建物ユニット３２は、全体として、床根太３２ｃ、天井根太３２ｄおよび柱３２ｅからなる鉄骨の骨格構造によって、略直方体形状を呈している。
【００３８】
ここで、建物ユニット３２の床構造３２ａは、この建物ユニット３２の床面を形成する床下地板３２ｉと、床下地板３２ｉを下方から支持する床根太３２ｃとによって形成されている。
【００３９】
一方、天井構造３２ｂは、第１のロフト６１の床構造を兼ねた構造であり、屋根ユニット５０に形成された第1のロフト６１の床面を形成する床下地板３２ｆと、この床下地板３２ｆと空隙を介して床下地板３２ｆの下方に設けられた、建物ユニット３２の天井面を形成する天井下地板３２ｋと、床下地板３２ｆを支持する床根太３２ｊと、天井下地板３２ｋを支持する天井根太３２ｄとを備えている。
【００４０】
これらの床下地板３２ｆおよび天井下地板３２ｋは、例えば、下地面材としてのパーティクルボードによって形成されている。
【００４１】
そして、天井構造３２ｂと兼ねられた第１のロフト６１の床構造の床根太３２ｊは、その長手方向に直交する方向に沿った両端付近（図３におけるＡ−Ａ線に沿った断面部分（図４（ａ））およびＢ−Ｂ線に沿った断面部分（図４（ｂ）））を除いて、上記空隙内において、天井下地板３２ｋに非接触に配置され、天井根太３２ｄも上記両端付近を除いて上記空隙内において、床下地板３２ｆに非接触に配置されている。
【００４２】
具体的には、床根太３２ｊの高さおよび天井根太３２ｄの高さはいずれも、上記空隙の高さよりも小さく、かつ、床根太３２ｊの上面は床下地板３２ｆの下面に接合されて床下地板３２ｆを支持し、天井根太３２ｄの下面は天井下地板３２ｋの上面に接合されて天井下地板３２ｋを支持している（図２（ａ）、図４（ｃ）、図５（ｂ）、図６（ｂ）参照）。
【００４３】
そして、天井構造３２ｂの天井根太３２ｄと床根太３２ｊとは、それぞれの長手方向に直交する方向に沿った両端付近（図３におけるＡ−Ａ線に沿った断面部分（図４（ａ））およびＢ−Ｂ線に沿った断面部分（図４（ｂ）））を除いて、交互に配列されている（図２（ａ）、図５（ｂ）、図６（ｂ）参照）。
【００４４】
また、床下地板３２ｆと天井下地板３２ｋとの間の空隙には、図５、図６に示すように、グラスウール等の吸音材３２ｍが充填されている。
【００４５】
なお、天井下地板３２ｋの下面側には、さらに表面（下面側）を装飾した化粧板を設けてもよく、同様に、床下地板３２ｆの上面側にも、さらに乱尺（フローリング床）やカーペット等の床仕上部材を敷設してもよい。
【００４６】
このように構成された本実施形態に係るユニット建物１００、建物ユニット３２によれば、床下地板３２ｆに下方から接して支持する床根太３２ｊは、その下方に形成された階下側の天井下地板３２ｋに直接的に接していないため、床下地板３２ｆに生じた階上側の音は、床根太３２ｊまでは伝達されるが、この床根太３２ｊから階下側の天井下地板３２ｋに直接伝わることがない。
【００４７】
また、天井下地板３２ｋに上方から接して支持する天井根太３２ｄは、その上方に形成された階上（ロフト６１）側の床下地板３２ｆに直接的に接していないため、天井下地板３２ｋに生じた階下側の音は、天井根太３２ｄまでは伝達されるが、この天井根太３２ｄから階上側の床下地板３２ｆに直接伝わることがない。
【００４８】
したがって、階上側と階下側との間の遮音性を、従来よりも向上させることができる。
【００４９】
また、床根太３２ｊの高さは、天井下地板３２ｋと床下地板３２ｆとの間の空隙の高さよりも小さく、かつ床根太３２ｊの上面は床下地板３２ｆの下面に接合されているため、床根太３２ｊの下面が階下側の天井下地板３２ｋの上面に接触するのを、物理的に完全に防止することができる。
【００５０】
同様に、天井根太３２ｄの高さは上記空隙の高さよりも小さく、かつ天井根太３２ｄの下面は天井下地板３２ｋの上面に接合されているため、天井根太３２ｄの上面がロフト６１の床下地板３２ｆの下面に接触するのを、物理的に完全に防止することができる。
【００５１】
さらに、天井根太３２ｄと床根太３２ｊとが交互に配列されていることにより、床下地板３２ｆ、天井下地板３２ｋともに、支持する床根太３２ｊ，３２ｊ間の間隔、天井根太３２ｄ，３２ｄ間の間隔が、それぞれ極端に不均一になるのを防止することができ、これにより、床下地板３２ｆ、天井下地板３２ｋともに、強度（耐荷重）の均一化を図ることができる。
【００５２】
なお、建物ユニット３２の天井構造３２ｂが階上のロフト６１の床下構造を兼ねた構造であるため、この天井構造と床下構造とを併せた高さを低く抑えることができ、これにより、階下側の建物ユニット３２の天井高（当該建物ユニット３２の床下面から天井面までの空間高さ）を低くすることなく、階上側のロフト６１の高さを高く確保することができる。
【００５３】
また、上述した実施形態のユニット建物１００，建物ユニット３２は、床下地板３２ｆと天井下地板３２ｋとの間の空隙には、グラスウール等の吸音材３２ｍが充填されているため、ロフト６１と建物ユニット３２との間での遮音性を一層向上させることができる。
【００５４】
しかも、吸音材３２ｍとしてグラスウールを用いたものでは、グラスウールの難燃性という特性によって、防火性能を向上させることもできる。
【００５５】
また、上述した実施形態のユニット建物１００、建物ユニット３２は、互いに上下に連結される屋根ユニット５０と建物ユニット３２とについて、階下側の建物ユニット３２の天井構造３２ｂが、階上側の建物ユニットである屋根ユニット５０のロフト６１の床構造を兼ねている構造であるが、これとは反対に、階上側の建物ユニットである屋根ユニット５０のロフト６１の床構造が、建物ユニット３２の天井構造３２ｂを兼ねている構造であってもよく、そのような構造を有する建物ユニット３２およびユニット建物１００も、本発明の建物ユニットまたはユニット建物についての実施形態に該当するものである。
【図面の簡単な説明】
【００５６】
【図１】本発明に係るユニット建物および建物ユニットの一実施形態示す要部透視斜視図である。
【図２】図１に示したユニット建物を構成する一単位である建物ユニット３２を示す図である。
【図３】図１に示したユニット建物のうち屋根ユニットの下方に連結される建物ユニットの天井構造を示す平面図である。
【図４】図３に示した天井構造のＡ−Ａ線、Ｂ−Ｂ線およびＣ−Ｃ線にそれぞれに沿った断面図である。
【図５】図３に示した天井構造のＤ−Ｄ線、Ｅ−Ｅ線にそれぞれに沿った断面図である。
【図６】図３に示した天井構造のＦ−Ｆ線、Ｇ−Ｇ線にそれぞれに沿った断面図である。
【符号の説明】
【００５７】
３２    建物ユニット（階下側の建物ユニット）
３２ｂ  天井構造
３２ｄ  天井根太
３２ｆ  床下地板
３２ｊ  床根太
３２ｋ  天井下地板
６１    ロフト（階上側の建物ユニット）
１００  ユニット建物
【図１】
2007002544.tif 000003
【図２】
2007002544.tif 000004
【図３】
2007002544.tif 000005
【図４】
2007002544.tif 000006
【図５】
2007002544.tif 000007
【図６】
2007002544.tif 000008